(57)【特許請求の範囲】
【請求項１】
床面への設置面を有するケース内に、巻き取り力を有する巻取ロールを回転自在に設け、該巻取ロールに巻回させた薄地体の先端をケースの上端に設けたスリットから突出させると共に、該薄地体の先端にトップ棒体を設け、ケースに支持棒を着脱自在に立設すると共に、支持棒の上端とトップ棒体を固定自在と成したことを特徴とする衝立。
【発明の詳細な説明】
【０００１】
【発明の属する技術分野】
本発明は、床面に移動自在に設置し、床面から上方に薄地体を張設する衝立に関し、詳しくは、薄地体を収納自在で、間仕切り、ディスプレイ用基板に使用される衝立に関する。
【０００２】
【従来の技術】
従来、衝立は障子板、薄板等を台座に取付けて移動自在にしたものであり、薄板等の重量を支え、安定状態を確保するために、台座も所要の形態（大きさ、重量、強度）を必要としていた。
よって、衝立を部屋内で移動させたり、所望位置に設置することは容易でなかった。
【０００３】
【発明が解決しようとする課題】
本発明は、移動が容易で、設置場所が自在な衝立を提供する。
【０００４】
【課題を解決するための手段】
本発明は、上記従来技術に基づく、移動、設置が容易でなかった課題に鑑み、床面への設置面を有するケース内に、巻き取り力を有する巻取ロールを回転自在に設け、該巻取ロールに巻回させた薄地体の先端をケースの上端に設けたスリットから突出させると共に、該薄地体の先端にトップ棒体を設け、ケースに支持棒を着脱自在に立設すると共に、支持棒の上端とトップ棒体を固定自在と成すことによって、立設された支持棒で薄地体先端のトップ棒体を上方支持して、薄地体を張設する様にして、上記課題を解決する。
【０００６】
【発明の実施の形態】
以下、本発明の一実施例を図面に基づいて説明する。
図１、２、３は天井Ｔを利用して衝立１を設置するタイプのもので、図４、５は単独で所定高さまで衝立１を設置するタイプのものであり、図中、幅高さ関係は一部省略している。
【０００７】
図１、２、３に示す様に、天井Ｔを利用するタイプのものでは、床面Ｆへの設置面２、2aを有するケース３内に、内蔵スプリング等で巻き取り力を有する巻取ロール４を回転自在に水平方向に内装すると共に、ケース３の上端に幅方向のスリット５を開口している。
ケース３内の巻取ロール４に巻回された薄地体６の先端をケース３上端のスリット５から上方に突出させると共に、薄地体６の先端に設けたパイプ状のトップ棒体７にフック（係止体）８を設けている。
【０００８】
巻取ロール４に巻回した薄地体６は、巻取ロール４に巻き取り可能な材質であれば良く、布地、厚手の合成樹脂製フィルム、その他で、無地、模様、色彩の有無は問わない。
又、ケース３の設置面２、2aは前後両側部に小幅の下方突出部を設けたものと成しているが、床面Ｆへ載置し、安定すればその形態は問わず、例えば、ゴム脚等の脚体を突出させても良い。
【０００９】
上記構成の衝立１を更に説明すると、レール状の基体部11の両側にＬ字状のホルダー12、12a を取付け、一対のホルダー12、12a の間に巻き取り力を有する巻取ロール４を回転自在に取付けている。
そして、これらの下面及び両側面を囲繞すると共に、上端長手横方向にスリット５を有する様に、押出成形材の、或いは２分割式等の胴カバー13を取付け、該胴カバー13の両側に側面キャップ14、14a を取付けている。
【００１０】
次に、本発明に係る衝立の設置手順について説明する。
基本的な設置手順としては、衝立１を設置する天井Ｔの所望位置にフック９を取付けると共に、床面Ｆに衝立１を載置し、ケース３の上端から突出しているトップ棒体７を持ち上げると、巻取ロール４から薄地体６が巻き戻されて引き出され、トップ棒体７のフック８を天井Ｔのフック（係止体）９に係止し、薄地体６が張設される。
【００１１】
尚、上記設置例では天井Ｔに短寸のフック９を取付ける場合を説明したが、図示、後述の様に取付けたり、フック９は天井Ｔから垂下させた長寸の係止体であっても良い。
【００１２】
図１、２に示す様に、床面Ｆから所定高さまで薄地体６を張設する場合には、上下両端にフック部を夫々有する長さ調整棒体10を利用する。
例えば、天井Ｔのフック９に長さ調整棒体10上端のフック部を係止した後、床面Ｆ載置のケース３から持ち上げたトップ棒体７のフック８を長さ調整棒体10下端のフック部に係止する。
即ち、天井Ｔのフック９とトップ棒体７のフック８の間に長さ調整棒体10を介在させる。
【００１３】
薄地体６を張設する高さは、長さ調整棒体10によって決定されるが、長さ調整棒体10は標準長（例えば、６０、７０ｃｍ）のもの１本とする他、長さ相違のものがセットされた複数本のものから所望長のものを選択して取付けても良く、或いは、標準長のものに短長（短寸）のものを付属させても良い。
【００１４】
次に、図４、５に示す様に、単独で所定高さまで設置するタイプの衝立を説明する。
上記実施例のものとの相違は、トップ棒体７にフック８を取付けず、ケース３に一対の支持棒15、15a を着脱自在に立設すると共に、該支持棒15、15a の上端とトップ棒体７を固定自在と成している。
【００１５】
詳しくは、パイプ状の支持棒15、15a の下方部をケース３内に挿入し、ケース３の底面から上方に突出させた係止突起16に支持棒15、15a の下端を嵌合させると共に、ケース３の側面キャップ14、14a の外側から内方に貫設突出させた係止突起17の先端を支持棒15、15a の側面に設けた係止孔に嵌合させ、更に、トップ棒体７の下面から下方に突出させた係止突起18に支持棒15、15a の上端を嵌合させている。
かかる構成により、トップ棒体７を支持棒15、15a に対して引き上げ、側面キャップ14、14a の外側から内方に貫設突出させた係止突起17を外側に取り外し、支持棒15、15a をケース３に対して引き上げることにより、これらを分離可能（着脱自在）と成している。
【００１６】
組み立て手順としては、トップ棒体７をケース３から若干持ち上げて退避させておき、支持棒15、15a をケース３底面の係止突起16に嵌合させた後に、側面キャップ14、14a の外側から内方に係止突起17を貫入させると共に、支持棒15、15a 側面の係止孔に係止突起17の先端を嵌合させて、ケース３に支持棒15、15a を立設する。
次に、支持棒15、15a の上端にトップ棒体７下面の係止突起18を嵌合させ、ケース３、支持棒15、15a 及びトップ棒体７で、支持棒15、15a の高さ相当分だけ薄地体６を矩形状に張設する。
【００１７】
上記の様に、床面Ｆから所定高さまで薄地体６を張設自在な衝立の利用方法としては、間仕切りに利用したり、薄地体６に印刷物、展示物を貼付したり、取り付け、或いは薄地体６に直接印刷してディスプレイに利用する。
【００１８】
【発明の効果】
要するに本発明は、床面Ｆへの設置面２、2aを有するケース３内に、巻き取り力を有する巻取ロール４を回転自在に設け、該巻取ロール４に巻回させた薄地体６の先端をケース３の上端に設けたスリット５から突出させたので、未使用時には薄地体６はケース３内に収納されてコンパクト化することが出来、移動、所望位置への設置を容易に行うことが出来、又薄地体６の先端にトップ棒体７を設けたので、床面Ｆに衝立１を載置し、ケース３からトップ棒体７を持ち上げて薄地体６を張設することが出来る。
【００２０】
ケース３に支持棒15、15a を着脱自在に立設すると共に、該支持棒15、15a の上端とトップ棒体７を固定自在と成したので、トップ棒体７をケース３から持ち上げて支持棒15、15a 上端に固定することにより、所定高さ（支持棒15、15a 相当分）まで薄地体６を安定的に張設することが出来、且つ、着脱自在、固定自在と成したことにより、未使用時には分解してコンパクト化することが出来る等その実用的効果甚だ大である。
【図面の簡単な説明】
【図１】本発明に係る衝立の正面図である。
【図２】図１の側面図である。
【図３】図１のＡーＡ断面図である。
【図４】他の実施例の衝立の半断面正面図である。
【図５】図４のＢーＢ断面図である。
【符号の説明】
１        衝立
２、2a    設置面
３        ケース
４        巻取ロール
５        スリット
６        薄地体
７        トップ棒体
８        フック
９        フック
10        長さ調整棒体
15、15a   支持棒
Ｆ        床面
Ｔ        天井
【図１】
0003706035.tif 000002
【図２】
0003706035.tif 000003
【図３】
0003706035.tif 000004
【図４】
0003706035.tif 000005
【図５】
0003706035.tif 000006